(57)【要約】      （修正有）【課題】基板収納ケースを密封した場合、入出力コネクタと開口との間の隙間を無くすか又は減少させ、基板収納ケースの内部に収納された回路基板への不正行為を防止する。【解決手段】台板１６とカバー体１８とを固定ネジ４１により密封した状態では、コネクタ２８、２８...が開口部５０からカバー体１８の外部に突出するよう構成し、開口部５０は、開口３８と、開口３８を囲む周縁部５１とから構成され、周縁部５１は、表面４８ａの縁を形成する上縁部５３、裏面４８ｂの縁を形成する下縁部５５とを備え、開口３８を囲む内周面５７を備え、上縁部５３と頂部の外縁２８ｂとを相似形状とし、開口部５０の上縁部５３の開口面積Ｓ1が下縁部５５の開口面積Ｓ2より狭くなるよう、開口部５０の内周面５７に勾配５９を有して成形している。【選択図】        図１０
2006061291.tif 000002
【特許請求の範囲】
【請求項１】
遊技機の所定箇所に取り付けられる台板と、
該台板の上面に固着され入出力用コネクタを有し遊技機の遊技状態を制御する制御基板と、
該制御基板を覆い前記台板に取り付けられる箱状のカバー体と、該カバー体には前記入出力用コネクタに対応して形成される開口部を備え、前記入出力用コネクタに対向位置させて前記入出力用コネクタに対して接続用コネクタを挿脱させる基板収納ケースであって、
前記台板と前記カバー体とを密封手段により内部に前記制御基板を密封し、密封を解除するためには前記密封手段を破損する必要がある基板収納ケースにおいて、
前記開口部の上縁部の開口面積が下縁部の開口面積より狭くなるよう、前記開口部の内周面に勾配を有して成形し、
前記台板と前記カバー体とを密封手段により密封した状態では、前記コネクタが前記開口部から前記カバー体の外部に突出するよう構成したことを特徴とする基板収納ケース。
【請求項２】
前記開口部が方形であって、前記開口部の前記内周面が長手方向にのみ前記勾配を有するよう成形したことを特徴とする請求項１に記載の基板収納ケース。
【請求項３】
前記開口部の上縁部の開口面積が、前記コネクタの頂部の横方向の占有面積より狭くなるよう成形したことを特徴とする請求項１又は請求項２に記載の基板収納ケース。
【請求項４】
遊技機の所定箇所に取り付けられる台板と、
該台板の上面に固着され入出力用コネクタを有し遊技機の遊技状態を制御する制御基板と、
該制御基板を覆い前記台板に取り付けられる箱状のカバー体と、該カバー体には前記入出力用コネクタに対応して形成される開口部を備え、前記入出力用コネクタに対向位置させて前記入出力用コネクタに対して接続用コネクタを挿脱させる基板収納ケースであって、
前記台板と前記カバー体とを密封手段により内部に前記制御基板を密封し、密封を解除するためには前記密封手段を破損する必要がある基板収納ケースにおいて、
前記開口部の上縁部の開口面積が下縁部の開口面積より狭くなるよう、前記開口部の内周面に勾配を有して成形し、
前記台板と前記カバー体とを密封手段により密封した状態では、前記コネクタの上縁部が前記開口部の内周面の勾配部分に密着するよう構成したことを特徴とする基板収納ケース。
【請求項５】
遊技機の所定箇所に取り付けられる台板と、
該台板の上面に固着され入出力用コネクタを有し遊技機の遊技状態を制御する制御基板と、
該制御基板を覆い前記台板に取り付けられる箱状のカバー体と、該カバー体には前記入出力用コネクタに対応して形成される開口部を備え、前記入出力用コネクタに対向位置させて前記入出力用コネクタに対して接続用コネクタを挿脱させる基板収納ケースであって、
前記台板と前記カバー体とを密封手段により内部に前記制御基板を密封し、密封を解除するためには前記密封手段を破損する必要がある基板収納ケースにおいて、
前記開口部の上縁部の開口面積が下縁部の開口面積より広くなるよう、前記開口部の内周面に勾配を有して成形し、
前記開口部の下縁部の開口面積が、前記コネクタの頂部の横方向の占有面積より狭くなるよう成形し、
前記台板と前記カバー体とを密封手段により密封した状態では、前記コネクタの上面部が前記開口部の下縁部に密着するよう構成したことを特徴とする基板収納ケース。
【請求項６】
遊技機の所定箇所に取り付けられる台板と、
該台板の上面に固着され入出力用コネクタを有し遊技機の遊技状態を制御する制御基板と、
該制御基板を覆い前記台板に取り付けられる箱状のカバー体と、該カバー体には前記入出力用コネクタに対応して形成される開口部を備え、前記入出力用コネクタに対向位置させて前記入出力用コネクタに対して接続用コネクタを挿脱させる基板収納ケースであって、
前記台板と前記カバー体とを密封手段により前記制御基板を内部に密封し、密封を解除するためには前記密封手段を破損する必要がある基板収納ケースにおいて、
前記開口部の周縁部に、弾性を有する保持部材を取り付け、
前記台板と前記カバー体とを密封手段により密封した状態では、前記コネクタが前記開口部から前記カバー体の外部に突出するよう構成したことを特徴とする基板収納ケース。
【請求項７】
前記開口部は長手方向の周縁部に、前記保持部材を取り付ける請求項６の基板収納ケース。
【発明の詳細な説明】
【技術分野】
【０００１】
本発明は、パチンコ遊技機やスロットマシンなどの遊技機に取り付けられ、その遊技動作を制御するための基板収納ケースに関するものである。
【背景技術】
【０００２】
従来技術として、特許文献１、２に記載のように、不正改造防止のために遊技制御基板等の基板を基板収納ケース内部に密封している。この密封手段は、かしめ手段が好ましく、特許文献１に示される結合部１１，１２，１７，１８、特許文献２に示される固定ねじ（ワンウェイビス）４１が挙げられる。
【０００３】
また、特許文献２に記載された発明は、カバー体１８の一側壁を膨出させて複数の入出力用コネクタ２８に被着されるコネクタ・カバー部３７を一体に設け、コネクタ・カバー部３７には各入出力用コネクタ２８に対向位置させて接続用コネクタ４５を差し込むための開口３８を設けたことを特徴とする。
【特許文献１】特開２００４−８２９１０号公報
【特許文献２】特開平１１−９００１０号公報
【発明の開示】
【発明が解決しようとする課題】
【０００４】
しかしながら、特許文献１、２は、締結手段に対する不正行為を防止することを目的とするため、開口３８からの不正行為の防止には依然として問題が残る。即ち、ワンウェイビス４１等により回路基板１７を密封する構成では、開口３８に余裕を持たせる必要性があるため、回路基板１７を密封した場合、開口３８に隙間が発生し易い。この隙間から回路基盤１７が不正改造される可能性がある。特に、入出力コネクタ２８をカバー体１８の開口３８から突出させる場合により一層の必要性がある。隙間からの不正防止を図るため、所謂スペーサを用いることが挙げられる。しかし、スペーサを取り付ける作業に手間がかかる、汎用性に乏しいという課題もある。
【０００５】
本発明は上記に鑑みてなされたもので、基板収納ケースを密封した場合、入出力コネクタと開口との間の隙間を無くすか又は減少させ、基板収納ケースの内部に収納された回路基板への不正行為を防止することを目的とするものである。
【課題を解決するための手段】
【０００６】
上記目的を達成するため、請求項１に記載の基板収納ケースは、遊技機の所定箇所に取り付けられる台板と、該台板の上面に固着され入出力用コネクタを有し遊技機の遊技状態を制御する制御基板と、該制御基板を覆い前記台板に取り付けられる箱状のカバー体と、該カバー体には前記入出力用コネクタに対応して形成される開口部を備え、前記入出力用コネクタに対向位置させて前記入出力用コネクタに対して接続用コネクタを挿脱させる基板収納ケースであって、前記台板と前記カバー体とを密封手段により内部に前記制御基板を密封し、密封を解除するためには前記密封手段を破損する必要がある基板収納ケースにおいて、前記開口部の上縁部の開口面積が下縁部の開口面積より狭くなるよう、前記開口部の内周面に勾配を有して成形し、前記台板と前記カバー体とを密封手段により密封した状態では、前記コネクタが前記開口部から前記カバー体の外部に突出するよう構成したことを特徴とする。これにより、「前記コネクタ」が「開口部」から突出しても、隙間が形成されないように作用する。
【０００７】
ここでいう「勾配」は開口部の開口３８の中心軸に対して勾配を設けることが好ましい。「勾配」にはテーパ形状を含むことは勿論、曲面形状でもよいし、少なくとも一辺が勾配を有していれば良い。また、「勾配」は内周面の全部又は一部のいずれの形成でもよい。「密封手段」はワンウェイネジ、締結ピン等の適宜の手段でよい。「開口部」は入出力用コネクタと接続コネクタの接続のための開口（貫通孔）を備えたものである。「開口部」は通常は方形であるが、これに限定されるわけではない。「内周面」はカバー体の表面と裏面とを接続するものである。
【０００８】
請求項２に記載の基板収納ケースは、前記開口部が方形であって、該開口部の前記内周面が長手方向にのみ前記勾配を有するよう成形したことを特徴とする。「長手方向」は、カバー体の表面及び裏面の面の方向と平行な方向であって、辺の長さが他の辺よりも長いものである。
【０００９】
請求項３に記載の基板収納ケースは、前記開口部の上縁部の開口面積が、前記コネクタの頂部の横方向に占有面積より狭くなるよう成形したことを特徴とする。これにより「前記コネクタ」が「開口部」から突出しても、隙間が形成されないように作用する。
【００１０】
請求項４に記載の基板収納ケースは、遊技機の所定箇所に取り付けられる台板と、該台板の上面に固着され入出力用コネクタを有し遊技機の遊技状態を制御する制御基板と、該制御基板を覆い前記台板に取り付けられる箱状のカバー体と、該カバー体には前記入出力用コネクタに対応して形成される開口部を備え、前記入出力用コネクタに対向位置させて前記入出力用コネクタに対して接続用コネクタを挿脱させる基板収納ケースであって、前記台板と前記カバー体とを密封手段により内部に前記制御基板を密封し、密封を解除するためには前記密封手段を破損する必要がある基板収納ケースにおいて、前記開口部の上縁部の開口面積が下縁部の開口面積より狭くなるよう、前記開口部の内周面に勾配を有して成形し、前記台板と前記カバー体とを密封手段により密封した状態では、前記コネクタの上縁部が前記開口部の内周面の勾配部分に密着するよう構成したことを特徴とする。
【００１１】
これにより「入出力用コネクタ」が「開口部」から突出しないようにするとともに「入出力用コネクタ」と「開口部」に隙間が形成されないように作用する。
【００１２】
請求項５に記載の基板収納ケースは、遊技機の所定箇所に取り付けられる台板と、該台板の上面に固着され入出力用コネクタを有し遊技機の遊技状態を制御する制御基板と、該制御基板を覆い前記台板に取り付けられる箱状のカバー体と、該カバー体には前記入出力用コネクタに対応して形成される開口部を備え、前記入出力用コネクタに対向位置させて前記入出力用コネクタに対して接続用コネクタを挿脱させる基板収納ケースであって、前記台板と前記カバー体とを密封手段により内部に前記制御基板を密封し、密封を解除するためには前記密封手段を破損する必要がある基板収納ケースにおいて、前記開口部の上縁部の開口面積が下縁部の開口面積より広くなるよう、前記開口部の内周面に勾配を有して成形し、前記開口部の下縁部の開口面積が、前記コネクタの頂部の開口面積より狭くなるよう成形し、前記台板と前記カバー体とを密封手段により密封した状態では、前記コネクタの上面部が前記開口部の下縁部に密着するよう構成したことを特徴とする。
【００１３】
これにより「入出力用コネクタ」が「開口部」に侵入しないようにするとともに「入出力用コネクタ」と「開口部」に隙間が形成されないように作用する。
【００１４】
請求項６に記載の基板収納ケースは、遊技機の所定箇所に取り付けられる台板と、該台板の上面に固着され入出力用コネクタを有し遊技機の遊技状態を制御する制御基板と、該制御基板を覆い前記台板に取り付けられる箱状のカバー体と、該カバー体には前記入出力用コネクタに対応して形成される開口部を備え、前記入出力用コネクタに対向位置させて前記入出力用コネクタに対して接続用コネクタを挿脱させる基板収納ケースであって、前記台板と前記カバー体とを密封手段により前記制御基板を内部に密封し、密封を解除するためには前記密封手段を破損する必要がある基板収納ケースにおいて、前記開口部の周縁部に、弾性を有する保持部材を取り付け、前記台板と前記カバー体とを密封手段により密封した状態では、前記コネクタが前記開口部から前記カバー体の外部に突出するよう構成したことを特徴とする。
【００１５】
これにより「入出力用コネクタ」が「開口部」から突出するとともに「入出力用コネクタ」と「開口部」に隙間が形成されないように作用する。「保持部材」は接着剤により固定しても良い。「保持部材」は、ゴムの他、弾性を有するプラスチック等が挙げられ、コネクタを機械的に保護するものが好ましい。「保持部材」は、グロメット、ブシュ等と呼ばれるものが挙げられ、「入出力用コネクタ」の側面に当接して保持するものが好ましい。保持部材は、周縁部に嵌合する嵌合部材が好ましい。例えば、棒状で外周面に軸方向に嵌込溝が形成され、嵌込溝が周縁部に嵌め込まれるものが好ましい。
【００１６】
請求項７に記載の基板収納ケースは、前記開口部は長手方向の周縁部に、前記保持部材を取り付けるものとする。
【発明の効果】
【００１７】
請求項１の発明によれば、開口部の下縁部が広く開口部に入出力用コネクタを当て嵌め易く、且つ隙間がなくなるか、少なくなる。これにより、隙間からの不正行為を防止できる。
【００１８】
請求項２の発明によれば、開口部の長手方向には、入出力用コネクタのプリント配線が制御基板上に設けられるので、長手方向の隙間が少なくなり効果が大である。長手方向のみに勾配を有するよう成形すれば良いので、成形が容易である。
【００１９】
請求項３の発明によれば、入出力用コネクタの頂部をカバー体の外部に突出させるには、開口部の周縁部を多少変形させる必要が生じるが、変形したとしても、隙間を無くすか、少なくすることが可能となる。また、勾配を有するので開口部の周縁部を変形させるに必要以上の力は不要であり、開口部の周縁部の変形も少なくて済む。
【００２０】
請求項４の発明によれば、入出力用コネクタ上縁部が勾配部に密着し隙間がなくなるか少なくなる。
【００２１】
請求項５の発明によれば、コネクタの上縁部が開口部の下縁部と密着するので隙間がなくなるか少なくなる。
【００２２】
請求項６の発明によれば、開口部に弾性を有する保持部材を取り付けることにより、保持部材が入出力用コネクタの大きさに応じて変形し、開口部にコネクタを当て嵌め易く、且つ隙間がなくなるか、少なくなる。これにより、隙間からの不正行為を防止できる。
【００２３】
請求項７の発明によれば、開口部の長手方向の一辺に弾性を有する保持部材を取り付けるだけなので、取り付け易い。
【発明を実施するための最良の形態】
【００２４】
以下、本発明に係る遊技機における基板収納ケースの実施形態１〜３を図面と共に説明する。なお、遊技機にはパチンコ遊技機、スロットマシン等が有るが、その一例としてパチンコ遊技機について説明する。まず、実施形態１の基板収納ケース１４について説明する。図１は本発明が適用されるパチンコ遊技機の裏面図である。図中、１は機枠であり、該機枠１に装着される前面枠２の裏面に遊技盤取付枠３が固着され、該遊技盤取付枠３に遊技盤４が装着されている。そして、遊技盤取付枠３の一側には遊技盤４の裏面全体を覆う合成樹脂製の機構板５が開閉自在に装着されている。
【００２５】
前記機構板５の裏面にはその上部にパチンコ球を貯留する景品球タンク６、該景品球タンク６から流下するパチンコ球を整列流下させるタンクレール７、またその一側部に該タンクレール７から流下する景品球の球圧を弱めるカーブ樋８、該カーブ樋８からパチンコ球を受け入れる景品球払出装置９、該景品球払出装置９から払い出された所定個数のパチンコ球を誘導する景品球排出樋１０等がそれぞれ配設されている。
【００２６】
また、前記機構板５のほぼ中央に窓口１１が開設され、該窓口１１に臨んで前記遊技盤４の裏面と対応する機構板５の前側に図２に示すように入賞球集合カバー１２が設けられ、該入賞球集合カバー１２の裏面に突設した取付台１３に本発明に係わる基板収納ケース１４が装着されている。なお、１５は遊技盤４面に設けられた可変表示装置（図示せず。）の後方部分を覆い保護する保護カバーである。
【００２７】
前記基板収納ケース１４は、図３及び図４に示すように前記取付台１３に取り付けられる台板１６と、該台板１６の前面に固着されパチンコ遊技機の遊技状態を制御する回路基板１７と、前記台板１６とほぼ同じ大きさからなり回路基板１７を覆うようにして台板１６に取り付けられる箱状のカバー体１８とからなる。カバー体１８は表面４８ａ、裏面４８ｂとを備えている（図１０参照）。
【００２８】
前記台板１６は回路基板１７に合致する縦長長方形の金属板１６ａからなり、該金属板１６ａの四隅角部にねじ孔１９を穿設した突起２０、２０...が設けられている。そして、金属板１６ａの上下両側端縁のほぼ中央に前記取付台１３に取り付けるための取付孔２１を備えた取付片２２、２２が突設され、これらの取付片２２、２２を挟んだ左右両側に前方へ直角に折り曲がる取付板２３、２３が設けられている。また、各取付板２３、２３...にはそれぞれ間隔を置いてねじ孔２４、２４が２個ずつ貫設されている。
【００２９】
また、前記回路基板１７は周知のように縦長長方形をなすプリント配線基板よりなり、その上面にＲＯＭ２５、ＣＰＵ２６及びその他各種の電子部品２７が関連付けられて配置されている。２８、２８...は回路基板１７の一側に複数列設された入出力用コネクタである。また、回路基板１７の四隅角部に前記台板１６の各ねじ孔１９、１９...と連通する止着孔２９、２９...が貫設してある。
【００３０】
更に、前記カバー体１８は合成樹脂材からなり、台板１６の金属板１６ａに対応した形状をなす表板１８ａの上下両側端縁のほぼ中央に、台板１６に突設された取付片２２、２２の横巾に対応する横巾と所要の長さとを持ったカバー片３０、３０が後方へ直角に折り曲げて突出され、これらのカバー片３０、３０を挟んだ左右両側に前記台板１６の各取付板２３、２３...の外側面にそれぞれ重合する切離し片部３１、３１...が２枚ずつ直角に折り曲げて設けられている。これら各切離し片部３１、３１はそれぞれ基端部の両側に切り込み３２、３２を設けて切離し可能な切断部３３、３３が形成され、該切断部３３からニッパー等の工具により切断し易くしている。また、各切離し片部３１、３１...には前記各ねじ孔２４、２４...に連通する通孔３４、３４...が貫設されている。
【００３１】
また、前記表板１８ａの左右両側に前記カバー片３０、３０と同じ長さの側壁３５、３６が直角に折り曲げて設けられ、その内、右側壁３６はその先端縁部に外方へ膨出する段部を有し前記回路基板１７の一側に列設した各入出力用コネクタ２８、２８...に被着されるコネクタ・カバー部３７が一体的に形成されている。該コネクタ・カバー部３７の上面には各入出力用コネクタ２８、２８...に対応させて複数の開口３８、３８...が開設されている。なお、前記表板１８ａには基板収納ケース１４内の熱を放散するためスリット状の放熱孔３９が多数開設されている。
【００３２】
本発明に係る基板収納ケース１４は上記構成よりなり、まず前記回路基板１７を台板１６の金属板１６ａの前面に重ね、各止着孔２９、２９...を介しビス４０、４０...を各突起２０、２０...のねじ孔１９、１９...に螺締して回路基板１７を台板１６に固着する。次に、前記回路基板１７を覆うようにして台板１６にカバー体１８を被せる。そして、図３、図５に示すように基板収納ケース１４の上下両端側でそれぞれ右端に位置する切離し片部３１（３１ａ）、３１（３１ａ）の通孔３４を介して取付板２３、２３の各ねじ孔２４、２４に抜脱不能な固定ねじ４１を螺締する。この固定ねじ４１は、図７に示すように頭部４１ａにおける十字穴４２のそれぞれ一側（左側）が切り欠いてあり、例えば十文型のドライバーで螺子締めする場合、右方向へ回転して螺締めすることはできるが、左方向へ回転させようとしても引っかかりがなくて回転し得えず、これによって取り外しが不可能になっている。また、ねじ部４１ｂは２条ねじであって、しかもねじ山角が非対称に成形されている。
【００３３】
これにより、図５、図６に示すように各取付板２３、２３に各切離し片部３１ａ、３１ａが一体に重合固着され、しかも上下両端縁における取付板２３、２３間はカバー片３０、３０で覆われ、さらに、左右両端縁は各側壁３５、３６で覆われることとなり、これにより回路基板１７がカバー体１８内に密封される。そこで、この状態では各固定ねじ４１、４１...が外せないことから、不正行為を行うには切離し片部３１ａ、３１ａを無理に破断することとなり、その痕跡が明らかに残ってしかもその隠蔽も極めて困難であるため不正行為が行いにくい。また、その不正行為は容易に発見でき責任の所在も明確化される。
【００３４】
ところで、前記基板収納ケース１４は基板収納ケースの製造メーカーから遊技機製造メーカーに納入され、該遊技機製造メーカーで回路基板１７を基板収納ケース１４に収め、更に固定ねじ４１、４１...で基板収納ケース１４を密封する。そして、このようにして密封された基板収納ケース１４はパチンコ遊技機の裏面に取付孔２１を介してビス４３を螺締することにより装着され、可変表示装置など各種部品から引き出される配線４４先端の接続用コネクタ４５、４５...がコネクタ・カバー部３７の各開口３８、３８...を介して各入出力用コネクタ２８、２８...に接続される。なお、基板収納ケース１４には基板管理番号シールを兼ねた検査履歴書を貼着して遊技機製造メーカーが前記基板管理番号シールへ管理番号を記入して回路基板の管理を行なえるようにする。
【００３５】
遊技機製造メーカーまたはパチンコ遊技機が納入されたパチンコホールで基板収納ケース１４を検査するには、ニッパー等の工具を用いて上下両側端縁の各切離し片部３１ａ、３１ａをその切断部３３、３３から切断して切り離し、図８に示すようにカバー体１８を開放してＲＯＭ２５を検査する。検査後は再びカバー体１８を取り付け、図９に示すように次の各切離し片部３１ｂ、３１ｂ...の通孔３４、３４...を介して各取付板２３、２３...のねじ孔２４、２４...に固定ねじ４１、４１...を螺締する。このようにしてＲＯＭ２５の検査が３回行なえるようになっている。なお、その都度検査者により検査履歴書へ記入するようにすれば、検査履歴書の把握が可能となる。
【００３６】
また、前記回路基板１７の各入出力用コネクタ２８、２８...は図６に示されるようにカバー体１８に一体に設けられるコネクタ・カバー部３７により覆われ安全に保護されるので、各入出力用コネクタ２８、２８...が取扱上において破損するといったことがなく、しかも、各開口３８、３８...は各入出力用コネクタ２８、２８...に接続用コネクタ４５、４５...を接続する際のガイドとなってその接続が容易に行なえる。更に、このように回路基板１７全体がカバー体１８によりほぼ完全に覆われることとなるので、基板収納ケース１４内にゴミが入りにくく回路基板１７の故障も少ない。
【００３７】
実施形態１の基板収納ケース１４の特徴を図１０乃至図１３を参照して説明する。台板１６とカバー体１８とを固定ネジ４１により密封した状態では、コネクタ２８、２８...が開口部５０からカバー体１８の外部に突出するよう構成したものである。開口部５０は、前記した開口（貫通孔）３８と、開口３８を囲む周縁部５１とから構成されている。開口３８はピン２８ａを備えるオス型の入出力用コネクタ２８、２８...とメス型の接続コネクタ４５、４５...の接続のためのものである。周縁部５１は、表面４８ａの縁を形成する上縁部５３、裏面４８ｂの縁を形成する下縁部５５とを備え、開口３８を囲む内周面５７を備えている。内周面５７はカバー体１８の表面４８ａと裏面４８ｂとを接続するものである。開口３８は長方形である。図１２に示す通り、上縁部５３と頂部の外縁２８ｂとを相似形状とし、開口部５０の上縁部５３の開口面積Ｓ1が下縁部５５の開口面積Ｓ2より狭くなるよう、開口部５０の内周面５７に勾配５９を有して成形してある。２８ｃはコネクタ２８、２８...の頂面である。勾配５９は開口部５０の開口３８の中心軸Ｙ（図１１参照）に対して勾配５９を設ける。勾配５９の傾斜角度θは適宜角度に設定されるが、好ましくは３０度〜６０度、特に好ましくは４５度〜５０度である。勾配５９は内周面５７の全部又は一部のいずれの形成でもよいが、ここでは全部に形成してある。
【００３８】
実施形態１の基板収納ケース１４によれば、コネクタ２８、２８...が開口部５０から突出しても、開口部５０とコネクタ２８、２８...の間に隙間が形成されないように作用する。開口部５０の下縁部が広く開口部５０に入出力用コネクタ２８、２８...を当て嵌め易く、且つ隙間がなくなるか、少なくなる。これにより、開口部５０と入出力用コネクタ２８、２８...の隙間からの不正行為を防止できる。
【００３９】
（実施形態１の変形例１）
実施形態１において、基板収納ケース１４は、開口部５０の内周面５７が長手方向にのみ勾配５９を有するよう成形したものである。長手方向は、カバー体１８の表面４８ａ、裏面４８ｂと平行な方向であって、辺の長さが他の辺よりも長いものである。短手方向には、勾配５９は形成されていない。
【００４０】
この変形例１によれば、開口部５０の長手方向には、入出力用コネクタ２８、２８...のプリント配線が回路基板１７上に設けられるので、長手方向の隙間が少なくなり効果が大である。また、長手方向のみに勾配５９を有するよう成形すれば良いので、成形が容易である。
【００４１】
（実施形態１の変形例２）
変形例２の基板収納ケース１４は、上縁部５３と頂部の外縁２８ｂとを相似形状とし、開口部５０の上縁部５３の開口面積が、コネクタ２８、２８...の外縁２８ｂにより形成される横方向の占有面積S3（図１３のハッチングの面積）より狭くなるよう成形したことを特徴とするので、コネクタ２８、２８..が開口部５０から突出しても、隙間が形成されないように作用する。これにより、入出力用コネクタの頂部をカバー体１８の外部に突出させるには、開口部５０の周縁部５１、特に上縁部５３を変形させる必要が生じるが、変形したとしても、隙間を無くすか、少なくすることが可能となる。また、勾配５９を有するので開口部５０の周縁部５１を変形させるのに必要以上の力は不要であり、開口部５０の周縁部５１の変形も少なくて済む。なお、開口部５０の上縁部５３の開口面積S1が、コネクタ２８、２８...の頂部の横断面積S3以上とするように成形してもよく、隙間を微小間隔（０〜１ｍｍ）とすることで、不正を防止できる。
【００４２】
（実施形態２）
次に実施形態２の基板収納ケース１１４を図１４を参照して説明する。この基板収納ケース１１４は、開口部１５０の上縁部１５３の開口面積S1が下縁部１５５の開口面積S2より狭くなるよう、開口部１５０の内周面１５７に勾配１５９を有して成形し、台板１１６とカバー体１１８とを固定ネジ１４１により密封した状態では、コネクタ１２８、１２８...の上縁部１５３が開口部１５０の内周面１５７の勾配１５９のある部分に密着するよう構成したことを特徴とする。この第２実施形態の基板収納ケース１１４のその他の構成は、第１実施形態の基板収納ケース１４と同様であるので、説明は援用する。また対応する部品番号は１００番台として、説明を適宜援用する。
【００４３】
実施形態２によれば、入出力用コネクタ１２８、１２８...の上縁部１５３が勾配１５９の部分に密着し隙間がなくなるか少なくなる。これにより入出力用コネクタ１２８、１２８...が開口部１５０から突出しないようにするとともに入出力用コネクタ１２８、１２８...と開口部１５０に隙間が形成されないように作用する。
【００４４】
（実施形態３）
次に実施形態３の基板収納ケース２１４を図１５及び図１６を参照して説明する。この基板収納ケース２１４は、開口部２５０の上縁部２５３の開口面積S1が下縁部２５５の開口面積S2より広くなるよう、開口部２５０の内周面２５７に勾配２５９を有して成形する。そして、開口部２５０の下縁部２５３の開口面積S2が、コネクタ２２８、２２８...の頂部の外縁２２８ｂにより形成される横方向の占有面積S3（図１３の八ッチングの面積）より狭くなるよう成形し、台板２１６とカバー体２１８とを固定ネジ２４１により密封した状態では、コネクタ２２８、２２８...の頂面２２８ｃが開口部２５０の下縁部２５５に密着（当接）するよう構成したことを特徴とする。この第３実施形態の基板収納ケース２１４のその他の構成は、第１実施形態の基板収納ケース１４と同様であるので、説明は援用する。また対応する部品番号は２００番台として、説明を適宜援用する。
【００４５】
これにより「入出力用コネクタ２２８、２２８...が開口部２５０に侵入しないようにするとともに入出力用コネクタ２２８、２２８...と開口部２５０に隙間が形成されない。また、コネクタ２２８、２２８...の頂面２２８ｃが開口部２５０の下縁部２５５と密着するので隙間がなくなるか少なくなる。
【００４６】
（実施形態４）
次に実施形態４の基板収納ケース３１４を図１７及び図１８を参照して説明する。基板収納ケース３１４は、開口部３５０の周縁部３５１に、弾性を有する保持部材３６０を取り付け、台板３１６とカバー体３１８とを固定ネジ３４１により密封した状態では、コネクタ３２８、３２８...が開口部３５０からカバー体３１８の外部に突出するよう構成したことを特徴とする。保持部材３６０は、棒状で外周面に沿って軸方向に嵌込溝３６２が周縁部３５１に外嵌するように形成したものである。保持部材３６０は接着剤により周縁部３５１に固定しても良いし、取り外しできるようにしてもよい。図示するように、ここでは、周縁部３５１の辺の全部又は一部に複数の保持部材３６０が嵌め込まれる。この第４実施形態の基板収納ケース３１４のその他の構成は、第１実施形態の基板収納ケース１４と同様であるので、説明は援用する。また対応する部品番号は３００番台として、説明を適宜援用する。
【００４７】
第４実施形態により、入出力用コネクタ３２８、３２８...が開口部３５０から突出するするとともに、入出力用コネクタ３２８、３２８...と開口部３５０に隙間が形成されないように作用する。また、開口部３５０に弾性を有する保持部材３６０を取り付けることにより、保持部材３６０が入出力用コネクタ３２８、３２８...の大きさに応じて変形し、開口部３５０にコネクタ３２８、３２８...を当て嵌め易く、且つ隙間がなくなるか、少なくなる。これにより、隙間からの不正行為を防止できる。
【００４８】
（実施形態４の変形例）
この変形例は、基板収納ケース３１４において、開口部３５０は長手方向の周縁部３５１に、保持部材３６０を取り付けるものとする。ここでは一対の保持部材３６０を対向する周縁部３５１に取り付けるものとする。これにより、開口部３５０の長手方向の一辺に弾性を有する保持部材３６０を取り付けるだけなので、取り付け易い。
【図面の簡単な説明】
【００４９】
【図１】本発明が適用されるパチンコ遊技機の裏面図である。
【図２】図１の一部拡大斜視図である。
【図３】実施形態１の基板収納ケース１４の斜視図である。
【図４】同基板収納ケース１４の分解斜視図である。
【図５】図３のＸ−Ｘ線断面図である。
【図６】図３のＹ−Ｙ線断面図である。
【図７】同基板収納ケース１４の固定ねじ４１の斜視図である。
【図８】同基板収納ケース１４の切離し片部３１，３１．．．を切断してカバー体１８を開放した状態の基板収納ケース１４の斜視図である。
【図９】同再封止した状態の基板収納ケース１４の斜視図である。
【図１０】実施形態１の基板収納ケース１４の縦断面図である。
【図１１】同基板収納ケース１４の開口部５０の拡大縦断面図である。
【図１２】同開口部５０の拡大平面図である。
【図１３】同コネクタ２８，２８．．．の拡大平面図（ハッチングは占有面積S3を示す）である。
【図１４】実施形態２の基板収納ケース１１４の縦断面図である。
【図１５】実施形態３の基板収納ケース２１４の縦断面図である。
【図１６】同基板収納ケース２１４の開口部２５０の拡大縦断面図である。
【図１７】実施形態４の基板収納ケース３１４の縦断面図である。
【図１８】同保持部材３６０の取り付け状態を示す分解斜視図である。
【符号の説明】
【００５０】
１４，１１４，２１４，３１４・・・基板収納ケース
１６，１１６，２１６，３１６・・・台板
１８，１１８，２１８，３１８・・・カバー体
２５・・・ＲＯＭ  ２６・・・ＣＰＵ  ２７・・・電子部品
２８，２８... ，１２８，１２８... ２２８，２２８... ３２８，３２８...・・・  入出力用コネクタ
３７・・・コネクタカバー部  ３８，３８... ・・・開口
４１・・・固定ねじ  ４１ａ・・・頭部  ４２・・・十字穴
４１ｂ・・・ねじ部
４５，４５... ・・・接続用コネクタ
４８ａ・・・表面  ４８ｂ・・・裏面
５０，１５０，２５０，３５０・・・開口部
５１，１５１，２５１，３５１・・・周縁部
５３，１５３，２５３・・・上縁部
５５，１５５，２５５・・・下縁部  ５７，１５７，２５７・・・内周面
Ｓ1・・・開口面積  Ｓ2・・・開口面積
５９，１５９，２５９・・・勾配  ２８ｃ・・・頂面
２８ｂ，２２８ｂ・・・外縁  Ｙ・・・中心軸
θ・・・傾斜角度  S3・・・占有面積  ３６０・・・保持部材
【図１】
2006061291.tif 000003
【図２】
2006061291.tif 000004
【図３】
2006061291.tif 000005
【図４】
2006061291.tif 000006
【図５】
2006061291.tif 000007
【図６】
2006061291.tif 000008
【図７】
2006061291.tif 000009
【図８】
2006061291.tif 000010
【図９】
2006061291.tif 000011
【図１０】
2006061291.tif 000012
【図１１】
2006061291.tif 000013
【図１２】
2006061291.tif 000014
【図１３】
2006061291.tif 000015
【図１４】
2006061291.tif 000016
【図１５】
2006061291.tif 000017
【図１６】
2006061291.tif 000018
【図１７】
2006061291.tif 000019
【図１８】
2006061291.tif 000020